(57)【要約】【課題】  沈降態様・速度などを調整できるルアーを提供する。  【解決手段】  このルアーは、頭部側底面に凹入する収納窪みを有するルアー本体１と、収納窪みに取り付けられた錘部材３とを備えている。錘部材３は、ルアー本体１の長手方向に延びるレールとなるネジ１１と、ネジ１１上に螺合している錘１２とを有する。ネジ１１を回転させることで、錘１２が長手方向にスライド移動し、任意の位置で位置決めできる。釣人は、ネジ１１により錘１２の長手方向位置を調整して、ルアーの沈降姿勢や速度などを調整する。【選択図】  図２
2005168374.tif 000002
【特許請求の範囲】
【請求項１】
魚釣りに用いるルアーであって、
ルアー本体と、前記ルアー本体の頭部底面に取り付けられた錘部材とを備え、
前記錘部材は、前記ルアー本体の長手方向に延びるレール部と、前記レール部上をスライド移動可能な錘と、前記錘を前記レール部上の任意の位置で位置決め可能な位置決め手段を有している、ルアー。
【請求項２】
前記ルアー本体はその周面を覆う表布を有し、頭部底面に凹入する収納窪みが形成されており、
前記錘部材は前記収納窪みに嵌入される本体部を備え、前記レール部は前記本体部に設けられている、請求項１に記載のルアー。
【請求項３】
前記本体部が前記収納窪み内に収納されている、請求項２に記載のルアー。
【発明の詳細な説明】
【技術分野】
【０００１】
本発明は魚釣りに用いるルアー、特に、「エギ」と呼ばれるタイプのルアーに関する。
【背景技術】
【０００２】
従来のルアー、特に、エギと一般に呼ばれるルアーは、小魚やエビなどの魚餌に外形を似せた中実のルアー本体を有している。そして、このルアー本体の頭部側端部には釣糸を係止するための釣糸係止部が、尾部側端部には複数の針がまとめられた針山が設けられている。釣人は、このようなルアーを水中に投じて烏賊等を釣り上げるのである。
【０００３】
このようなエギと呼ばれるルアーでは、水中に素早く沈降させて安定した泳動姿勢をとり得るように、錘が装着されている。従来のエギと呼ばれるタイプのルアーの錘は、ルアー本体の頭部側底面にその一部が突出した状態で埋め込まれている。
【０００４】
ところで、釣り場の状況によっては、エギの沈降速度や沈降姿勢などを調整し変化させる必要も生じる。そこで、釣人は上述のルアー本体の頭部側底面に配置されている錘の一部を削り、若しくは針金状の糸錘などをさらにルアー本体や錘などに取り付けて、沈降速度や沈降姿勢などを調整していた。しかし、このような作業は繁雑であり、別途工具などが必要にもなる。そこで、ルアー本体の外形線に沿ってワイヤを配置し、このワイヤの上で錘の位置を任意に調整可能とするエギも提案されている（特許文献１参照）。
【０００５】
しかし、水中で岩などの障害物に衝突することもあるルアーで、ルアー本体の外形線に沿ってワイヤを配置するためには、ワイヤに十分な強度を持たせる必要がある。また、このようなワイヤを配置する作業は繁雑であり、製造コストも大きくなる。さらに、ルアー本体の表層から離れて長手方向に延びているこのようなワイヤは、餌と認識した烏賊がルアー本体に抱き付いてきた際に違和感を与えてしまう。
【特許文献１】特開2003-204734号公報
【発明の開示】
【発明が解決しようとする課題】
【０００６】
本発明の別の課題は、状況に合わせて沈降態様や泳動姿勢に変化を付けることができ、さらに、製造コスト・作業性にも優れるルアーを提供することにある。
【課題を解決するための手段】
【０００７】
本発明のルアーは、魚釣りに用いるルアーであって、ルアー本体と、ルアー本体の頭部底面に取り付けられた錘部材とを備えている。この錘部材は、ルアー本体の長手方向に延びるレール部と、レール部上をスライド移動可能な錘と、錘を前記レール部上の任意の位置で位置決め可能な位置決め手段を有している。
【０００８】
釣り場の状況に応じて、より頭を下げた状態で素早く沈降させたい場合等、沈降姿勢・速度を調整する場合には、ルアー本体に対する錘の長手方向位置を調整する。錘をレール部上で長手方向に任意にスライド移動させ、任意の位置で位置決め手段により位置決めする。
【０００９】
また、このルアー本体はその周面を覆う表布を有し、頭部底面に凹入する収納窪みを形成してもよい。この場合、錘部材は収納窪みに嵌入される本体部を備え、レール部は前記本体部に設けられているようにする。
【００１０】
ルアー本体の表面に表布で覆い様々な模様・色彩を附して魚・烏賊等をおびき寄せる。このような表布でルアー本体の周面を覆った後に、収納窪みに錘部材の本体部を嵌入して固定することで、錘部材は十分にルアー本体に取り付けられている。
【００１１】
なお、錘部材の一部を収納窪みに収納することで、ルアー本体の表層から過度に錘部材が飛び出すこともない。釣人は、このルアーを水中に投じ釣竿を振り上げて水中で泳動させて烏賊をおびき寄せる。生き餌と認識した烏賊はこのルアーに抱き付き補食しようとする。烏賊がこのルアーに抱き付いた際に於いて、錘部材が過度に烏賊に違和感を与えることもなく、繰り返し使用しても烏賊がすぐにルアーを離しにくくなり、タイミングを合わせて上手く烏賊を釣り上げやすい。
【００１２】
さらに、錘部材の本体部を収納窪み内に完全に収納してもよい。錘を移動させるためのレール部等が本体部と共に収納窪み内に収納され、烏賊に違和感を与えることがさらに少なくなる。
【発明の効果】
【００１３】
本発明のルアーは、製造も容易であり、状況にあわせて沈降態様・姿勢を容易に調整することができる。また、烏賊に違和感も与えにくい。
【発明を実施するための最良の形態】
【００１４】
［第１実施形態］
以下、本発明の第１実施形態について図面を参照しつつ説明する。
【００１５】
本発明の第１実施形態を採用したルアーは、図１に示すように、外形を小エビに似せて形成した中実のルアー本体１を有する。そして、ルアー本体１の頭側端部には釣糸係止部２が連結されており、頭部側の底面には錘部材３が配置されている。また、ルアー本体１の尾部側端部には針山４が連結されている。
【００１６】
ルアー本体１は、左右一対の半割部材を貼り合わせて形成され、又は、いわゆる射出成形によって形成される合成樹脂製部材、若しくは木製又は金属製の部材である。このルアー本体１の頭部側の底面には、ルアー本体１の長手方向に延びつつ凹入する収納窪みが形成されている。これが後述の錘部材３を取り付けるための部分である。
【００１７】
このルアー本体１の表面には表布が巻き付けられている。表布はナイロン樹脂等の合成繊維からなる織布もしくは木綿等の天然繊維からなる織布でありこれをテープ状若しくはシート状に加工したものである。ルアー本体１の周面に接着剤等によって貼り付けられている。上述の収納窪み部分においては、表布の一部を切り取り若しくは表布の一部を収納窪み内に折り込むようにして、表布がルアー本体１の表面に貼り付けられる。この表布の外表面は外形をエビに似せるための様々な模様等が施される。さらに、頭部には目を設け、左右の両側面には羽根等を取り付けてもよい。
【００１８】
釣糸係止部２は周知の織糸もしくは金属からなる線部材をリング状に丸め、一端をルアー本体１の頭部側端部に挿入させた状態で、ルアー本体１に連結したものである。ここに釣糸を通して結びつける。
【００１９】
図２に詳しく示すように、錘部材３は、箱形の本体部１０と、本体部１０内を長手方向に貫通するネジ１１と、ネジ１１に螺合する錘１２とからなる。
【００２０】
本体部１０はルアー本体１の収納窪みにその一部が収納される合成樹脂若しくは金属等からなる箱形の部材である。本体部１０はその下面が開口しており、上述の収納窪みにあわせてルアー本体１の長手方向を長辺方向としている。本体部１０の底面側にはその長辺方向に向けてネジ１１が貫通している。このネジ１１が後述の錘１２に対するレールとなる。ネジ１１の頭は本体部１０の外部に露出しており、このネジ１１の頭がネジ１１を回動させるためのつまみ部分である。このような本体部１０は、その上部の一部をルアー本体１の収納窪みに嵌め込んだ状態で、接着剤等によって固定されている。表布をルアー本体１の表面に貼り付けてあっても、収納窪み内に本体部１０を嵌め込んで固定することで、その取付は比較的容易である。
【００２１】
錘１２は鉛，タングステン，これらの合金等からなる比重の大きい金属からなる。その他、タングステン粉末を混入した合成樹脂等から構成することも可能である。錘１２は本体部１０の底面側に向かって突出し、本体部１０の長辺方向（ルアー本体１の長手方向）に長い薄板型の部材である。その長手方向長さは本体部１０の長辺の長さの１／２〜１／３程度である。錘１２は上部の一部にその長手方向に貫通する雌ねじ穴を有し、ここで上述のネジ１１に対して螺着している。従って、ネジ１１を回動させることで、錘１２はルアー本体１の長手方向にスライド移動する。
【００２２】
このように構成されるルアーは、以下のようにして用いられることになる。
即ち、釣人は、釣糸係止部２に釣糸を連結した上で、このルアーを水中に投じ釣竿を振り上げて水中で泳動させて烏賊をおびき寄せる。釣り場の状況に応じて、沈降姿勢・速度を調整する場合には、ルアー本体１に対する錘１２の長手方向位置を調整する。具体的には、ネジ１１を回動させて、錘１２の位置を任意の箇所に変更する。なお、この錘部材３の本体部１０はその一部が収納窪みに収納されており、ルアー本体１の表層から過度に錘部材３が飛び出すこともない。烏賊がこのルアーに抱き付いた際に於いて、錘部材３が過度に烏賊に違和感を与えることもなく、繰り返し使用しても烏賊がすぐにルアーを離しにくくなり、タイミングを合わせて上手く烏賊を釣り上げやすい。
【００２３】
［第２実施形態］
上記実施形態の変形例を図３及び図４に示す。
【００２４】
このルアーも、第１実施形態と同種のルアー本体１、釣糸係止部２，針山４を備え、ルアー本体１の頭部の底面に形成される収納窪みに、錘部材１３が取り付けられている。
【００２５】
錘部材１３は、図４に詳しく示すように、本体部２０と、本体部２０に挟持されている錘２２とからなる。
【００２６】
本体部２０はルアー本体１の収納窪みに収納される部材である。金属板などを左右対称に折り曲げて加工されており、その左右両側がルアー本体１の底面方向に向かっている。本体部２０の長手方向は、収納窪みにあわせてルアー本体１の長手方向に延びる。本体部２０の左右両側の底面方向に向かう部分は、さらにその一部が左右の幅方向において幅内方向に部分的に突出するように折り曲げられており、この部分が長手方向に延びるレール部分２０ａを形成している。金属板などの弾性により、レール部分２０ａは幅内方向に付勢されている。このような本体部２０は、上述のルアー本体１の収納窪み内に収納され、左右対称に折り曲げた対称軸部分が収納窪みの奥面に当接し接着剤等でルアー本体１に固定される。
【００２７】
錘２２は、上記第１実施形態と同様に、鉛，タングステン，これらの合金等からなる比重の大きい金属からなる薄板型の部材である。錘２２の左右の側面には、上述のレール部分２０ａに挟持されるように左右の幅方向において凹入する凹溝が形成されている。錘２２は、ルアー本体１の収納窪み内に収納されている本体部２０のレール溝２０ａに対して凹溝が嵌め込まれ挟持されている。従って、錘２２はルアー本体１の長手方向にスライド移動可能である。
【００２８】
このように構成されるルアーも、第１実施形態と同様にして用いられることになる。特に、錘部材１３の本体部２０はルアー本体１の収納窪み内に収納されており、ルアー本体１に抱き付いてくる烏賊に違和感を与えにくい。  
【００２９】
［第３実施形態］
さらに別の変形例として、錘部材２３を図５に示す。この錘部材２３は、本体部３０と、本体部３０に挟持されている錘３２と、板バネ３１とからなる。
【００３０】
本体部３０は、第２実施形態と同様に、ルアー本体１の収納窪みに収納される部材である。ステンレス等の合金を左右対称に折り曲げて略箱形に形成されており、底面及び長手方向の両端面が開口した状態になっている。長手方向の両側面には、それぞれ長手方向に延びつつ幅内方向に凹入するレール部分３０ａが形成されている。上面には長手方向に間隔を隔てて複数の凹凸が形成されている。この凹凸が係止突起となる。このような本体部３０は、上述のルアー本体１の収納窪み内に収納され、上面が収納窪みの奥面に当接し接着剤等でルアー本体１に固定される。
【００３１】
錘３２は、上記第２実施形態と同様に、鉛，タングステン，これらの合金等からなる比重の大きい金属からなる薄板型の部材であって、左右の側面には、上述のレール部分３０ａに係合するように左右の幅方向において凹入する凹溝が形成されている。錘３２は、ルアー本体１の収納窪み内に収納されている本体部３０のレール溝３０ａに対して凹溝が係合した状態で挟持されている。従って、錘３２はルアー本体１の長手方向にスライド移動可能である。
【００３２】
さらに、錘３２が本体部３０に挟持されるに当たっては、錘３２の上面に板バネ３１が配置され、錘３２の上面と本体部３０の上面との間に錘３２が介在する。板バネ３１は錘３２の上面を覆うように長手方向に延び、長手方向中央付近において上方向に突出するように折り曲げられている。この突出する板バネ３１の一部が上述の本体部３０の係止突起と係合し、錘３２は任意の長手方向位置において位置決めされることになる。
【００３３】
このように構成されるルアーも、第１実施形態と同様にして用いられることになる。また、錘部材２３の本体部３０はルアー本体１の収納窪み内に収納されており、ルアー本体１に抱き付いてくる烏賊に違和感を与えにくい。  
【００３４】
［第４実施形態］
さらに別の変形例として、錘部材３３を図６に示す。この錘部材３３は、本体部４０と、本体部４０の長手方向に延びるシャフト４１と、シャフト４１を介して本体部４０に取り付けられている錘４２とからなる。
【００３５】
本体部４０は、第１実施形態と同様に、ルアー本体１の収納窪みにその上部の一部が収納されて固定されている。収納窪みに収納される上部分と、長手方向に貫通する貫通孔が形成された下部分とからなる。また、本体部４０の底面は、図８に示すように、長手方向に間隔を隔てて複数の凹穴が並んで加工されている。この本体部４０の下部分の貫通孔に金属等からなるシャフト４１が貫通している。このシャフト４１と本体部４０とは長手方向に相対移動可能である。
【００３６】
錘４２は、鉛，タングステン，これらの合金等からなる比重の大きい金属からなる部材であって、長手方向の両端にそれぞれ起立するアーム部４２ａが形成される。一対のアーム部４２ａには、それぞれ対向する面にシャフト４１を取り付けるための固定穴が形成される。そして、一対のアーム部４２ａによりシャフト４１を挟み込むようにして、錘４２はシャフト４１に取り付けられている。上述のようにシャフト４１は本体部４０に対して相対的に長手方向に移動可能であり、シャフト４１が錘４２の移動のためのレールとなる。そして、このシャフト４１を介して錘４２は本体部４０に対し長手方向にスライド移動可能である。
【００３７】
図７に示すように、この錘４２の起立する一対のアーム４２ａの間の上面には、凹入する穴が形成されており、この穴にはコイルバネを介してピンが上方向に付勢されつつ収納されている。このピンは上方向に付勢される、本体部４０の底面の複数の凹穴に嵌っている。錘４２を長手方向に移動させると、ピンはコイルバネの弾性により順次隣接する凹穴にはまり、それぞれの位置で錘４２を本体部４０に対して位置決めする。
【００３８】
このように構成されるルアーも、第１実施形態と同様にして用いられることになる。
［第５実施形態］
さらに、別の変形例として、錘部材４３を図９に示す。この錘部材４３は、本体部５０と、本体部５０の長手方向に延びるシャフト５１と、シャフト５１を介して本体部４０に取り付けられている錘５２とからなる。
【００３９】
本体部５０は、第３実施形態と同様に、ルアー本体１の収納窪み内に完全に収納される略箱形の部材である。下面を開口面とし、この下面を底方向に向けてルアー本体１の収納窪み内に嵌め込まれて接着剤等で固定されている。本体部５０の上面の内周面には、ルアー本体１の長手方向に間隔を隔てて複数の幅方向に延びる凹凸溝が形成される。また、本体部５０の長手方向の両端面には後述のシャフト５１が貫通する窓が形成される。
【００４０】
シャフト５１は、一定の弾性を有するスプリングシャフトである。シャフト５１の長手方向一端には釣糸係止部２が連結される。このルアー本体１に於いては、ルアー本体１の頭部側端部から収納窪みに向けて貫通孔が形成されており、釣糸係止部２をルアー本体１の頭部側端部に残し、この貫通孔内をシャフト５１が貫通している。シャフト５１は本体部５０の窓を通って本体部５０を長手方向に貫く。
【００４１】
錘５２は、鉛，タングステン，これらの合金等からなる比重の大きい金属からなる部材である。錘５２の上方には長手方向に貫通する貫通孔が形成されている。ここに上述のシャフト５１が貫通しており、錘５２はシャフト５１を介して本体部５０内にその一部を収納した状態で配置されている。錘５２はその上端面に長手方向に間隔を隔てて複数の幅方向に延びる凹凸溝が形成される。この錘５２の上端面は本体部５０の上面の内周面に当接している。
【００４２】
即ち、この錘５２はその上端面を本体部５０の上面の内周面に当接させて、それぞれの凹凸溝を噛み合わせることで、長手方向において位置決めされている。錘５２を長手方向に移動させると、シャフト５１が幾分撓んで、錘５２はシャフト５１に沿って長手方向にスライド移動することができる。
【００４３】
このように構成されるルアーも、第１実施形態と同様にして用いられることになる。また、錘部材４３はその本体部５０を完全にルアー本体１の収納窪み内に収納しており、ルアー本体１に抱き付いてくる烏賊に違和感を与えることも少ない。
【図面の簡単な説明】
【００４４】
【図１】本発明の第１実施形態を採用したルアーを示した図。
【図２】図１のルアーの錘部材３を示した図。
【図３】本発明の第２実施形態を採用したルアーを示した図。
【図４】図３のルアーの錘部材１３を示した図。
【図５】本発明の第３実施形態を採用したルアーの錘部材２３を示した図。
【図６】本発明の第４実施形態を採用したルアーの錘部材３３を示した図。
【図７】図６の錘４２を示した図。
【図８】図６のVIII-VIII方向視図。
【図９】本発明の第４実施形態を採用したルアーの頭部側断面図。
【符号の説明】
【００４５】
１  ルアー本体
３，１３，２３，３３，４３  錘部材
１０，２０，３０，４０，５０  本体部
１２，２２，３２，４２，５２  錘
【図１】
2005168374.tif 000003
【図２】
2005168374.tif 000004
【図３】
2005168374.tif 000005
【図４】
2005168374.tif 000006
【図５】
2005168374.tif 000007
【図６】
2005168374.tif 000008
【図７】
2005168374.tif 000009
【図８】
2005168374.tif 000010
【図９】
2005168374.tif 000011